Podtech/llm-jp-corpus-v4-ja_patent huggingface dataset:
(57)【要約】【課題】防鳥獣ネットが設置されたゴミステーションに手を汚さずにゴミを捨てられるようにする。防鳥獣ネットが設置されていてもゴミ回収時の煩わしさがないことやステーションの清掃、維持管理にも支障が少ないようにする。防鳥獣ネットを設置する際、できるだけ簡易で安価に取り付けが可能なようにする。  本発明は、以上の課題を解決する防鳥獣ネットである。【解決手段】防鳥獣ネットの開閉にカーテンレール式のスライド開閉機構を設け、手、もしくは足で操作することにより手を汚さずにゴミを捨てられる。また、ゴミ回収および未使用時には全オープンの状態の状態にでき、回収、清掃作業に支障を来さない。それらの機能を持ったスライド開閉式防鳥獣ネット。【選択図】図３
2015205774.tif 000002
【特許請求の範囲】
【請求項１】
カーテンレール機構のレールとランナーに防鳥獣ネットを取付け、スライド開閉を可能とし、手もしくは足で開閉ができる機構を設けたゴミステーション設置用防鳥獣ネット。
【発明の詳細な説明】
【技術分野】
【０００１】  本発明は、集合住宅等に自治体で設置を義務付けられることが多いコンクリートブロック積み「コの字型」ゴミステーションに比較的簡易に設置でき、手を汚さずに開閉が可能なスライド開閉式ゴミステーション防鳥獣ネットに関するものである。
【背景技術】
【０００２】  従来、ゴミステーションでは鳥獣類によるゴミ荒らし被害があり、それを防止するために色々なタイプの防鳥獣ネットや囲いを設置する方式のゴミステーションが考案されてきた。
形状を工夫して鳥獣類の侵入防止を行ったもの、折りたたみなど設置の簡易性を工夫したもの、矩形箱状のゴミ収容箱の前上部が足踏み式でスライド開閉するやや複雑な仕組みを持ったものなど様々な機構を備えた防鳥獣ネットが知られている。
【先行技術文献】
【特許文献】
【０００３】
【特許文献１】特開２０１３−９５５４３
【特許文献２】特開２０１２−６２１７３
【特許文献３】特開２００１−１８０８０２
【発明の概要】
【発明が解決しようとする課題】
【０００４】  従来の「コの字」型に積まれたコンクリートブロックなどでできたゴミステーションとそこに設置された防鳥獣ネットには次のような欠点があった。
（イ）アンカーボルトなどに引っ掛けて簡易的に固定されているネットが多く、ゴミを入れる際、ゴミを回収する際、集積場を清掃する際などにネットの開閉や取り外し、保管に手間がかる。
（ロ）防鳥獣ネット内にゴミを入れようとする際、汚れたネットを持って開閉しなければならない場合が多く不衛生である。
（ハ）既存のゴミステーションに新たに別のゴミストッカーや囲い式ステーションを設置する場合、数万円から数十万円と比較的高額な金額が必要であったり、形状によってゴミの出し入れの作業性が悪かったり、清掃などの維持管理に手間がかかったりするケースが多い。
本発明は、以上の問題点を解決するためになされたものである。
【課題を解決するための手段】
【０００５】  コンクリートブロック「コの字」積みのゴミステーションの左右のブロック壁にカーテンレール機構で防鳥獣ネットの加重や紫外線による劣化に耐える素材のもの（以下カーテンレールと記載する）を設置する。上部（水平方向）のカーテンレールから前方（垂直方向）への接続は９０度カーブしたレールで行い、上部から前方までスムーズにランナーが移動できる状態にする。防鳥獣ネットは、左右に設置したカーテンレールをスライドするランナーに市販のダルマ金具等を使用して取付ける。これによりネットのスライド開閉が可能となり、取手もしくは足踏みペダル式で開閉ができる機構を設けることができる。また、カーテンレール、防鳥獣ネット共に簡易に伸縮やサイズ調整が可能なため、各々のステーションのサイズに合致した取付けが可能となる。
以上の機構からなる防鳥獣ネットとその取付け具。
【発明の効果】
【０００６】  本発明を使用することにより、手を汚すことなくゴミ捨てができる。
ゴミ回収作業の際には間口を大きくとって効率よく回収ができる。
全開にしておけば集積場の清掃も支障なく行え、ネットの破損防止にも効果がある。
また、囲み式の集積場や大型のゴミストッカーより低価格で比較的簡単に設置が可能である。
【図面の簡単な説明】
【０００７】
【図１】本発明の設置状態を示す斜視図
【図２】本発明の使用状態を示す斜視図１
【図３】本発明の使用状態を示す斜視図２
【発明を実施するための形態】
【０００８】  以下、本発明の実施の形態を説明する。
（イ）ゴミ集積場のコの字積みコンクリートブロックの左右の壁に（１）カーテンレールの長さを合わせ、ビス止め等ネットの加重に耐える方法で取付ける。片方の壁につき上部と手前で縦横各１本の直線レールとその接続部に（２）カーブレールを使用して左右双方対称に設置する。レールに付属するランナーに（３）防鳥獣ネットを掛けて張る。ランナーとネットの接続は市販のダルマ金具等を使用して行うものとする。
（ロ）ネットをスライド開閉するための（４）取手バーと、閉める力の補助と床との設置地面との密度を高めるための（５）重り兼エンドバーを防鳥獣ネットに取付ける。使用時は、取手を持って、持ち上げ方向へスライドさせてゴミを中へ入れ、入れ終えたら取手をもとの状態へもどす。ゴミ回収時やステーション清掃時はネットを全開にして作業をすることが可能で、全オープンの状態で保管することによりネットの破損防止にも効果がある。
（ハ）フットペダル開閉の機構。（６）開閉フットペダルを踏むことで（７）ワイヤーが引かれ（８）軌道修正用ローラーを通り（９）作用ローラー小へ接続する。作用ローラーは接続した大小のものからなり、（９）作用ローラー小から入力した力で（１０）作用ローラー大を回転させ、同じ回転数でもその円周の差異で開度を大きくしネットを持ち上げられる機構とする。（１０）作用ローラー大から（１２）作用ワイヤーをカーテンランナー内に通してガイドとしながら取手バーにつなぎ、そこを作用点としてネットを持ち上げる。左右から巻き上げられるよう、（１０）作用ローラー大を左右に配しその間を（１１）接続シャフトで繋ぐ。足踏み開閉式とすることでネットや取手に触れることなく開閉ができ、両手が使えるためより便利で安全となる。
【符号の説明】
【０００９】１カーテンレール機構のレールとランナー、２カーブレール、３防鳥獣ネット、４開閉取手バー、５重り兼エンドバー、６開閉フットペダル、７引きワイヤー、８軌道修正ローラー、９作用ローラー小、１０作用ローラー大、１１作用ローラー接続シャフト、１２作用ワイヤー
【図１】
2015205774.tif 000003
【図２】
2015205774.tif 000004
【図３】
2015205774.tif 000005
(57)【要約】【課題】キャリアをより安定して移送する搬送装置を提供すること。【解決手段】本発明にかかる搬送装置は、厚みの薄い略直方体形状であって、側面にＳ極とＮ極が互い違いになるように永久磁石を埋め込まれたキャリアと、前記永久磁石に対向する位置に、螺旋形状のＳ極と螺旋形状のＮ極とが組み合わされた円柱形状の螺旋状マグネットと、前記螺旋状マグネットを回転制御する駆動部と、前記キャリアを搬送方向に移動可能に支持するためのローラと、を有し、前記駆動部は、前記キャリアが前記搬送装置から持ち上げられる際に、前記螺旋状マグネットを前記キャリアが移動される方向とは逆方向に回転させ、前記キャリアが前記搬送装置に搭載される際は、キャリアが移動される方向と同じ方向に回転させるものである。【選択図】図１
2015205743.tif 000002
【特許請求の範囲】
【請求項１】
搬送装置であって、
厚みの薄い略直方体形状であって、側面にＳ極とＮ極が互い違いになるように永久磁石を埋め込まれたキャリアと、
前記永久磁石に対向する位置に、螺旋形状のＳ極と螺旋形状のＮ極とが組み合わされた円柱形状の螺旋状マグネットと、
前記螺旋状マグネットを回転制御する駆動部と、
前記キャリアを搬送方向に移動可能に支持するためのローラと、を有し、
前記駆動部は、前記キャリアが前記搬送装置から持ち上げられる際に、前記螺旋状マグネットを前記キャリアが移動される方向とは逆方向に回転させ、前記キャリアが前記搬送装置に搭載される際は、キャリアが移動される方向と同じ方向に回転させる、搬送装置。
【発明の詳細な説明】
【技術分野】
【０００１】
本発明は搬送装置に関する。
【背景技術】
【０００２】
搬送装置において、永久磁石を埋め込まれたキャリアと、このキャリアの永久磁石に対向する位置に磁石を備えたチャンバと、を有し、磁石の力を利用して、キャリアをコンベア上で搬送する技術が知られている。
【０００３】
特許文献１には、螺旋状磁気結合部を備えた搬送装置が記載されている。特許文献１に記載の技術では、永久磁石を埋め込まれたキャリアと、キャリアの永久磁石に対応する位置に配置された螺旋状磁気結合部とを、を有し、螺旋状磁気結合部を回転させることにより、キャリアを搬送する。
【先行技術文献】
【特許文献】
【０００４】
【特許文献１】特開平１１−０３９０３５号公報
【発明の概要】
【発明が解決しようとする課題】
【０００５】
しかしながら、特許文献１に記載の技術では、キャリアを搬送装置から移送する際に、螺旋状磁気結合部の磁力によりキャリアが引かれ、不安定になってしまうという問題があった。
【０００６】
本発明はこのような問題点を解決するためになされたものであり、キャリアをより安定して移送する搬送装置を提供することを課題とする。
【課題を解決するための手段】
【０００７】
本発明にかかる搬送装置は、厚みの薄い略直方体形状であって、側面にＳ極とＮ極が互い違いになるように永久磁石を埋め込まれたキャリアと、前記永久磁石に対向する位置に、螺旋形状のＳ極と螺旋形状のＮ極とが組み合わされた円柱形状の螺旋状マグネットと、前記螺旋状マグネットを回転制御する駆動部と、前記キャリアを搬送方向に移動可能に支持するためのローラと、を有し、前記駆動部は、前記キャリアが前記搬送装置から持ち上げられる際に、前記螺旋状マグネットを前記キャリアが移動される方向とは逆方向に回転させ、前記キャリアが前記搬送装置に搭載される際は、キャリアが移動される方向と同じ方向に回転させるものである。これにより、キャリアが搬送装置から移送される際受ける磁力の影響をより低減することができる。
【発明の効果】
【０００８】
本発明によれば、キャリアをより安定して移送する搬送装置を提供することができる。
【図面の簡単な説明】
【０００９】
【図１】実施の形態にかかる搬送装置の斜視図と断面図とを示す。
【発明を実施するための形態】
【００１０】
実施の形態
以下、図面を参照して本発明の実施の形態について説明する。図１は、実施の形態にかかる搬送装置の斜視図と断面図とを示す。搬送装置１は、キャリア１１と、螺旋状マグネット１２と、駆動部１３（不図示）と、ローラ１４と、固定台１５と、を備える。なお、便宜上、Ｚ軸方向を上、Ｚ軸負方向を下と記載することがある。
【００１１】
キャリア１１は、厚みの薄い略直方体形状である。図１（ｂ）に示すように、キャリア１１の側面には、Ｓ極とＮ極が互い違いになるように永久磁石１１１が埋め込まれている。
【００１２】
螺旋状マグネット１２は、マグネット１２１と、軸１２２とを有する。マグネット１２１は略円柱形状であり、複数個が軸１２２に取り付けられている。またマグネット１２１は、キャリア１１の永久磁石１１１に対向する位置に、螺旋形状のＳ極と螺旋形状のＮ極とが組み合わされている。
【００１３】
ローラ１４は、キャリア１１を搬送方向に移動可能に支持するものである。ここでは、キャリア１１の側面と、下面と、を支持するように固定台１５上に配置されている。
【００１４】
駆動部１３（不図示）は、螺旋状マグネット１２を回転制御する。駆動部１３は、キャリア１１を搬送装置１の搬送方向に移動する際には、移動速度に応じて、螺旋状マグネット１２を回転させる。駆動部１３は、キャリア１１が、外部のマニピュレータにより、搬送装置１上から持ち上げられて、移送されようとするとき、言い換えれば、Ｘ軸正方向にキャリア１１が移動されるとき、キャリアの移動方向とは逆方向に（図１に示す矢印と同じ回転方向に）螺旋状マグネット１２を回転制御する。また、駆動部１３は、キャリア１１が搬送装置１に搭載される際には、キャリアが移動される方向と同じ方向に回転させる。
【００１５】
実施の形態にかかる搬送装置１は、キャリア１１の側面に永久磁石１１１を設け、永久磁石１１１に対向する位置に螺旋状マグネット１２を設置して、かつ、キャリア１１の側面と下面とに接するようにローラ１４を設けている。そのため、発塵をきわめて抑えてキャリア１１を搬送することができ、かつ、キャリア１１を搬送装置１から脚脱することが容易である。
【００１６】
また、キャリア１１の下面にもローラ１１を設けることで、移動方向の摩擦が抑制される。これにより、螺旋状マグネット１２によるキャリア１１の位置決めをより高精度とすることができる。
【００１７】
また、キャリア１１がマニピュレータによりピックアップされる際に、螺旋状マグネット１２の螺旋形状により、磁力でキャリア１１が螺旋状マグネット１２の方向に引っ張られる問題が発生するが、駆動部１３が螺旋状マグネット１２を、キャリア１１の上下に合わせて回転又は逆回転させることにより、この問題を解決することができる。
【００１８】
なお、本発明は上記実施の形態に限られたものではなく、趣旨を逸脱しない範囲で適宜変更することが可能である。
【符号の説明】
【００１９】
１  搬送装置
１１  キャリア
１２  螺旋状マグネット
１３  駆動部
１４  ローラ
１１１  永久磁石
１５  固定台
【図１】
2015205743.tif 000003
(57)【要約】【課題】  従来の複数枚入ディスクのタワー型ケースは、ただ積み上げて収納、保管しており、どこにどの様なディスクがあるのかを印すものが無く、ディスクを探す手間が掛かっていた。  本発明は、積み上げたディスクのどの位置からでもディスク用インデックスを着脱でき、どこにどんなディスクがあるのかを分類でき、容易に探すことがでるタワー型ケース用ディスクインデックスを提供する。【解決手段】ディスク大本体部の円周箇所につまみ兼インデックスを設け、本体部中央に向けて切れ目部を有したことを特徴とするタワー型ケース用ディスクインデックス。【選択図】図１
2015205728.tif 000002
【特許請求の範囲】
【請求項１】
ディスク大の本体部円周箇所に、つまみ兼インデックス部を設け、積み上げたディスクのどの箇所からでも着脱し易いように本体部中央に向かって切れ目部を設けたタワー型ケース用ディスクインデックス。
【発明の詳細な説明】
【技術分野】
【０００１】  本発明は、ＣＤ−Ｒ、ＤＶＤ−Ｒ、ブルーレイ等のディスクを分類し収納及び保管する際に使用するインデックスに関するものである。
【技術背景】
【０００２】  従来のディスクは、シートやケース、ＢＯＸタイプ、キャリングケースなどに収納及び保管するのが一般的であった。市販されているディスクの複数枚入付属のタワー型ケースは、他に収納、保管して不要になると捨てられてしまうか、付属ケースに積み重ねて収納、保管をしていた。
【発明の概要】
【発明が解決しようとしている課題】
【０００３】  従来の複数枚入ディスクのタワー型付属ケースでは、どこにどのようなデータのディスクがあるのか印すものが無く、ただ積み上げていた。そのため、必要なディスクを探すのに手間が掛かった。ディスクを他に収納、保管し付属ケースが不要となると捨てられていた。
本発明は、以上の問題点を解決するためになされたものである。
【課題を解決するための手段】
【０００４】  ディスク大の本体部円周箇所にタワー型ケースに収納が可能なつまみ兼インデックス部を設け、更に、本体部中央に向かって切れ目部を設ける。
以上の構成によりなるタワー型ケース用ディスクインデックス。
【発明の効果】
【０００５】  本発明品によってタワー型ケースにディスクを収納、保管をする場合でも、インデックスによって分かり易く分類し整理することができる。付属のタワー型ケースを有効利用できる。更には、本体部中央に向かって切れ目部を設けたことにより、つまみ兼インデックス部をつまみとして利用すると、積み上げたディスクのどの位置からでも容易に着脱することができる。
【図面の簡単な説明】
【０００７】
【図１】本発明の正面図
【図２】本発明の使用状態一例図
【発明を実施するための形態】
【０００８】  以下、本発明の実施形態を説明する。
（イ）ディスク大の本体部円周箇所につまみ兼インデックス部を設ける（３）。
（ロ）ディスク大の本体部中央に向かって、切れ目部（２）を入れる。
本発明は以上のような構造である。
本発明を使用するときは、図２に示すようにディスクのケース中央にある柱に向かって切れ目部（２）をスライドさせ、分類したいディスクに挟み込ませる。この時つまみ兼インデックス部（３）をつまみとして使うと、本発明品の着脱に便利である。本体部（１）や、つまみ兼インデックス部（３）に分類の項目を記入しインデックスとして活用する。
【符号の説明】
【０００８】  １  本体部、２  切れ目部、３  つまみ兼インデックス部
【図１】
2015205728.tif 000003
【図２】
2015205728.tif 000004
(57)【要約】【課題】  蓋と容器からなる密閉容器において密閉性を向上させる手段を提供すること。【解決手段】従来の密閉容器においては、蓋内縁周りのみであったパッキンを蓋内部、すなわち蓋内縁周り以外にも拡張させることにより、密閉効果を向上させることができる。【選択図】図１
2015205729.tif 000002
【特許請求の範囲】
【請求項１】
パッキンを有する蓋と仕切りを有する容器とから構成される密閉容器において、蓋内縁周りに加えて容器内側に存在する仕切りに対応する蓋の位置にもパッキンが存在することを特徴とする密閉容器。
【発明の詳細な説明】
【技術分野】
【０００１】本発明は、密閉容器に関するものである。
【背景技術】
【０００２】従来、密閉容器の密閉性を高める手段として、蓋内縁周りのパッキンを蓋と異材質一体成型とし、実質的に不可分一体となっている密閉容器が知られている（例えば特許文献１）。
【先行技術文献】
【特許文献】
【０００３】
【特許文献１】特開平８−２１７１２７
【発明の概要】
【発明が解決しようとする課題】
【０００４】前記従来技術においては、蓋内縁周りにパッキンがある為、ある程度の密閉性が期待できるが、パッキンが蓋内縁周りのみに限定されている為、液体等の内容物が容器の外部にもれるという問題があった。
【課題を解決するための手段】
【０００５】請求項１の発明は、蓋と容器を有する密閉容器において、容器内側に仕切りがあり、その仕切りに対応する蓋の位置にもパッキンが存在することを特徴とする密閉容器である。
【発明の効果】
【０００６】請求項１の発明によれば、従来よりもパッキンの容器表面積に占める比率が高くなり、密閉性が向上する。
【図面の簡単な説明】
【０００７】
【図１】本発明の実施例を示す斜視図である。
【図２】本発明の実施例を示す蓋の平面図である。
【図３】本発明の実施例を示す容器の平面図である。
【発明を実施するための形態】
【０００８】本発明の実施例の１つとして弁当箱を取り上げ、これを例として説明する。図２は蓋、図３は容器の平面図である。従来の弁当箱においては容器に仕切りがあっても、それに対応する蓋の位置にパッキンは存在しない。しかし本発明では、仕切りに対応する蓋の位置にパッキンを付けた。
【０００９】図３の５ａ（第１仕切り）、及び５ｂ（第２仕切り）に対応する蓋の位置、すなわち図２の２ａ（第１パッキン）、２ｂ（第２パッキン）にそれぞれパッキンが存在する。２ａ（第１パッキン）が５ａ（第１仕切り）に、２ｂ（第２パッキン）が５ｂ（第２仕切り）に勘合する。これによりパッキンが従来の容器内縁周りのみであったものと比較すると密閉性が向上する。なお、この仕切りは内容物の分類に使用できる。
【産業上の利用可能性】
【００１０】弁当箱、保存容器に利用される。
【符号の説明】
【００１１】１    蓋
２ａ  第１パッキン
２ｂ  第２パッキン
３    掛止具
４    容器
５ａ  第１仕切り
５ｂ  第２仕切り
【図１】
2015205729.tif 000003
【図２】
2015205729.tif 000004
【図３】
2015205729.tif 000005
(57)【要約】【課題】食品包装用ラップフィルムの収納箱に収納された食品包装用ラップフィルムを引き出して使用する際、引き出したラップフィルムの先端が筒に巻き込まれたラップフィルムに貼り付いて、引き出すことが中々出来ないことが生じていた。【解決手段】食品包装用ラップフィルムに目印を配置して、ラップフィルムの引き出しを容易にしたことを特徴とした食品包装用ラップフィルム。【選択図】図１
2015205727.tif 000002
【特許請求の範囲】
【請求項１】
食品包装用ラップフィルムに目印を配置して、ラップフィルムの引き出しを容易にしたことを特徴とした食品包装用ラップフィルム。
【請求項２】
食品包装用ラップフィルムの横手方向の一端に目印を配置した請求項１の食品包装用ラップフィルム。
【請求項３】
目印を食品包装用ラップフィルムの両端に設けた請求項１の食品包装用ラップフィルム。
【発明の詳細な説明】
【技術分野】
【０００１】本発明は食品包装用ラップフィルムに目印を付けて、ピッタリと貼りついたラップの取り口を一目で分かるようにした食品包装用ラップフィルムに関する。
【背景技術】
【０００２】  従来の市販されている食品包装用ラップフィルムの貼り付け口を探すのに苦労していた。
【発明の概要】
【発明が解決しようとする課題】
【０００３】  食品包装用ラップフィルムの収納箱に収納された食品包装用ラップフィルム（以下ラップフィルム）を引き出して使用する際、引き出したラップフィルムの先端が筒に巻き込まれたラップフィルムに貼り付いて、引き出すことが中々出来ないことが生じていた。このラップフィルムは透明のため、貼り付いてしまうとどこが先端であるか分からないため、引き出せなかった。
【課題を解決するための手段】
【０００４】  食品包装用ラップフィルムに目印を配置して、ラップフィルムの引き出しを容易にし、更にラップフィルムの横手方向の一端に目印を配置した食品包装用ラップフィルム。
【発明の効果】
【０００５】  ラップフィルムに目印をつけることによって、取り口が分るため、引き出す際に苦労することなく容易に引き出すことが楽に出来るようになった。
【図面の簡単な説明】
【０００６】
【図１】本発明の斜視図
【発明を実施するための形態】
【０００７】  以下、本発明の実施の形態を説明する。
（イ）収納箱（３）にはラップフィルム（１）が収納されている。
（ロ）ラップフィルム（１）には図１に示されているように、長手方向の端にライン状の    目印（２）が設けられている。本実施例では目印（２）を分かり易く判別出来るよう    に両端に設けてあるが、一端だけでも良い。
（ハ）ライン状の目印（２）をラップフィルム（１）の下面側に印刷する事によって、
【図１】
2015205727.tif 000003
(57)【要約】      （修正有）【課題】手すりの取り付けてない施設に歩行補助具として備え、歩行困難な人を援助する、床面を滑らせながら使用する歩行補助具を提供する。【解決手段】木製の手すり１と木製の手すりの両脚２をベースコーナー６で繋ぎ、木製の支柱３をブラケット７で両脚に取り付け、下部にベースソケットを付ける。手すりが木製で長方形の２枚のベース板に対して直角になるようベースソケットで両脚をベース板に取り付け、ベース板の底にフェルトシートを設ける。【選択図】図１
2015205143.tif 000002
【特許請求の範囲】
【請求項１】
木製の手すり（１）と木製に手すりの両脚（２）をベースコーナー（６）で繋ぎ木製の支柱（３）をブラケット（７）で両脚（２）に取り付け下部にベースソケット（８）を付け手すり（１）が木製で長方形の２枚のベース板（４）に対して直角になるようベースソケット（８）で両脚（２）をベース板（４）に付けベース板（４）の底にフェルトシート（５）を設けたことを特徴とする歩行補助具。
【発明の詳細な説明】
【技術分野】
【０００１】  本発明は、２枚の長方形のベース板に手すりの両脚を取り付け、ベース板の底にフェルトシートを設け、床面を滑らせながら使用する歩行補助具に関するものである。
【背景技術】
【０００２】  手すりは従来、壁、床に固定されて取り付いているのが一般的である。
【先行技術文献】
【特許文献】
【０００３】
【特許文献１】
【発明の概要】
【発明が解決しようとする課題】
【０００４】  これは次のような欠点があった。
（イ）手すりが設置されてない所は、歩行器等の歩行補助具を利用しているがサイズが大きいため狭い所に行けない、置く場所も制限される。
（ロ）歩行補助車、歩行器から椅子に移る時、また椅子から立ちあがり歩行器等に移る時、歩行補助車、歩行器等が動き不安定なため支えにならない。
本発明は、以上のような欠点をなくすためになされたものである。
【課題を解決するための手段】
【０００５】  木製の手すり（１）と木製の手すりの両脚（２）をベースコーナー（６）で繋ぎ、木製の支柱（３）をブラケット（７）で両脚（２）に取り付け下部にベースソケット（８）を付ける。手すり（１）が木製で長方形の２枚のベース板（４）に対して直角になるようベースソケット（８）で両脚（２）をベース板（４）に取り付ける。ベース板（４）の底にフェルトシート（５）を設ける。
本発明は、以上の構成による床面を滑らして歩く手すり歩行補助具である。
【発明の効果】
【０００６】  （イ）本発明は、２枚のベース板に手すりを取り付けコンパクトにしているので狭い所にも行ける。置き場所にも困らなく身近な所に置き使用できる。
（ロ）ベース板に手すりを直角に取り付け、床面に密着させ横方向の安定を図っているので、支えになり椅子えのそわり立ちが安全にできる。
（ハ）歩く時は、手すりの中央を握り床面を滑らしながら手すりを支えにし安全に歩行ができる。
【図面の簡単な説明】
【０００７】
【図１】本発明の斜視図である。
【図２】本発明の正面図である。
【発明を実施するための形態】
【０００８】  以下、発明を実施するための形態について説明する。
木製の手すり（１）と木製の手すりの両脚（２）をベースコーナー（６）タッピングネジ（９）で繋、木製の支柱（３）をブラケット（７）タッピングネジ（９）で両脚（２）に付ける。
両脚（２）の下部にベースソケット（８）をタッピングネジ（９）で付ける。
手すり（１）が木製で長方形の２枚のベース板（４）に対し直角になるようベースソケット（８）タッピングネジ（１０）で両脚（２）をベース板（４）に取り付ける。
ベース板（４）の底にフェルトシート（５）を設ける。
本発明は、以上のような構造である。
本発明を使用するときは、２枚のベース板（４）に両脚（２）で固定されて一体になっている手すり（１）を利き手の体側に置き、手すり（１）の中央を握り床面を滑らせながら使用する。
手すり（１）はベース板（４）に両脚（２）で直角に取り付、床に密着させ横方向の安定を図っている。
【符号の説明】
【０００９】    １    手すり
２    手すり脚
３    支柱
４    ベース板
５    フェルトシート
６    ベースコーナー
７    ブラケット
８    ベースソケット
９    タッピングネジ
１０  タッピングネジ
【図１】
2015205143.tif 000003
【図２】
2015205143.tif 000004
(57)【要約】      （修正有）【課題】食卓を汚したり、不衛生になることがなく、かつ、コーヒーカップ受け皿に置かなくても直接、食卓に置くこともできるスプーンを提供する。【解決手段】食卓に置いたスプーンの口が食卓から浮いている状態となる程度の大きさをもち、かつ、装飾も兼ね備えた球状のものをスプーンの柄の基に取り付ける。【選択図】図２
2015205142.tif 000002
【特許請求の範囲】
【請求項１】
スプーンに関する物
【発明の詳細な説明】
【技術分野】
【０００１】本発明はスプーンに関する物である
【発明の開示】
【０００２】スプーンに球状の物を取り付ける
【発明が解決しょうとする課題】
【０００３】球の装飾をスプーンに加えて衛生的に置きやすくする
【課題を解決するための手段】
【０００４】綬来のスウプーンでは直接置くと食卓を汚したりして不衛生であるので柄の基に球状の物を取り付ける事によりスプーンの口が少し上に上がるので食卓を汚さない又コーヒーカップ受け皿にスプーンを置かなくても直接食卓に置くこともできる
【発明の効果】
【０００５】スプーンに取り付けた球は装飾も兼ね又物を入れる部分が食卓に触れないため汚すこともなく衛生的である。球が付いていても口に物を入れるには何の問題もない又コーヒーなどの受け皿に置くときも球がある為スプーンがカップの下に入らない。従来の様にコーヒーの受け皿にスプーンは置かなくても食卓に直接置いてもよい、食卓に置いたスプーンを取り上げて手に持つときも球があるので少しスプーンが浮いているために取りやすい。この玉状の物はフオークにも取り付けても同じく良いと思われる
【発明を実施するための最良の形態】
【０００６】以下本発明の実施の形態を図１〜図４の姿図に基いて説明をする【０００７】姿図１は従来のスプーンである姿図２はスプーンに球状の物を取り付けたものである姿図３はスプーンを食卓に置いた状態を表したものである姿図４はスプーンを食卓に直接置いてもスプーンの口に入れる部分が食卓から浮いている      状態である      図をみる様にスプーンに玉状のものを取付けるとスプーンの口は食卓から少し浮き      上がり衛生的であると共に形態も良くなる又使いやすくなる
【図面の簡単な説明】
【０００８】
【図１】はスプーンを正面から見た図であり従来のスプーンである
【図２】は従来のスプーンに球状の物を取り付けたもの
【図３】は従来のスプーンを食卓に置いたものでスプーンの口が食卓に触れている様子
【図４】は玉状の物を取り付けたスプーンを食卓に置いたものであるがスプーンの口は食卓から浮いている状態である
【図１】
2015205142.tif 000003
【図２】
2015205142.tif 000004
【図３】
2015205142.tif 000005
【図４】
2015205142.tif 000006
(57)【要約】      （修正有）【課題】生のイチゴを手・指・爪など汚さず、へたを衛生的に取る。【解決手段】薄いステンレスで作製され、スプーンとフォークを足して、二で割ったような形状で、縦にも円く、横にも円みをつけ、フォークの中程は厚めに、先端部と左・右は薄めで、底の３分の２まで、フォーク状に切り身を入れ、イチゴの根本へたに差込み、９０度程回転させることで簡単綺麗にへたを取り除く。【選択図】図１
2015205144.tif 000002
【特許請求の範囲】
【請求項１】
（１）家庭やイチゴ園で生のイチゴを食べる時、へた  を取ると、どうしても指や爪に  イチゴの赤い  果汁が付き、汚れるため、簡単かつ綺麗に  へた  を取り除くことを目的として考案。
【発明の詳細な説明】
【発明の詳細な説明】
【技術分野】
【０００１】本発明品は生の  イチゴを食べる時、イチゴの  へたを取る際、果汁が飛び散らないように、薄い  ステンレスで作製、イチゴの  へたに差込やすく、かつ離れやすくするため、フォークの縦・横に円みを付け、底の  ３分の２まで、フォークに切り身を入れ、イチゴと  へたの間に差し込み、９０度位回転させれば、子供や年寄りでも、簡単かつ衛生的に、綺麗に  へたを取り除くことが出来、目的を達成することが出来る。
【背景技術】
【０００２】今までは、イチゴ園でも家庭でも、たいがい  人差し指と親指でへたを挟んで  力  まかせに  むしり取っていたため、イチゴの果汁で  指や洋服に飛びちり汚れた。
【発明が解決しようとする課題】
【０００３】本発明品により、指や爪など、汚さず、かつ  イチゴを綺麗、衛生的に食べることが出来る。
【課題を解決するための手段】
【０００４】食器であるため、清潔な  ステンレスで作製、フォークの先端と左・右は若干薄く、中程は厚めにすることで、へたをカットしやすく、果汁も出にくく衛生的に  へたを取り除く。
【発明を実施するための形態】
【０００５】本発明品は、薄いステンレスで作製され、スプーンとフォークを足して、二で割ったような形状で、縦にも円く、横にも円みをつけ、フォークの中程は厚めに、先端部と左・右は薄めで、底の  ３分の２まで、フォーク状に切り身を入れ、イチゴの根本  へたに差込、９０度程回転させることで簡単綺麗に  へたを取り除くことを目的とする。
【実施例】
【０００６】自宅や  観光イチゴ園など旅行中に、手、指、爪、洋服を  汚さず、衛生的に食べられると考える。
【図面の簡単な説明】
【図１】  本発明品の平面図
【図２】  本発明品の側面図
【図３】  本発明品の正面図
【図１】
2015205144.tif 000003
【図２】
2015205144.tif 000004
【図３】
2015205144.tif 000005
(57)【要約】      （修正有）【課題】操作の検出手段として電磁界を用い、劣化の抑制、配置の自由度を高めた棒状ライトを提供する。【解決手段】導体で作られた検出面を発振素子の一部として共振回路を構成する。その電磁界領域に誘電率の高い指などが介在することで、発振条件が影響を受けることで結果的に共振周波数が変化する。これを検出することで、操作が行われたと判断する。また、電圧検出部や温度検出部とそれにつながるマイコンや補正回路で発光素子の電流バランスを補正し、色ずれ、輝度変化を抑制する。【選択図】なし【特許請求の範囲】
【請求項１】
操作部が機械式開閉接点ではなく、空間の電磁界を指などで変位することで検出操作する棒状ライト。
【請求項２】
多色発光機能つき電池式棒状ライトの電池が電圧低下を起こしたときに、各色発光素子に流れる電流がアンバランスになる。
それにより合成された色度が変化するが、電池電圧に対して各発光素子に流れる電流を補正することで合成色の変化を抑えることを特徴とした棒状ライト。
【請求項３】
電池式棒状ライトは自己発熱や環境温度にて、発光素子に流れる電流が変化する。
それにより輝度が変化するが、温度変化に対して素子に流れる電流を補正することで輝度の変化を抑えることを特徴とした棒状ライト。
【発明の詳細な説明】
【技術分野】
【０００１】  本発明は、棒状ライトに関するものである。
【背景技術】
【０００２】  従来より、単色および多色発光機能つき棒状ライトがある。
【発明が解決しようとする課題】
【０００３】  機械式接点の棒状ライトでは、操作部が機械式のため使用回数や汗・ホコリの浸入による劣化で接触不良を起こすことがあった。
また、操作部を配置できる箇所が構造に制約を受けることで、小さな操作部が寄せ合って配置されていて操作しにくい難点があった。
多色発光機能つき電池式棒状ライトでは、電圧低下を起こしたときに、３原色ＬＥＤに流れる各電流がアンバランスになることで、意図した色合いから外れてくる。
また、自己発熱や環境温度変化において輝度が変化する難点があった。
【０００４】  そこで、本発明は機械接点ではなく電気回路から発生する電磁界空間を指などで変位することにより操作を検出することで、上記問題点を解決することを目的とする。
また、電圧の低下や温度変化をプログラムや補正回路を用いることで、上記問題点を解決することを目的とする。
【課題を解決するための手段】
【０００５】  本発明は、導体で作られた検出面を発振素子の一部として共振回路を構成する。
その電磁界領域に誘電率の高い指などが介在することで、発振条件が影響を受けることで結果的に共振周波数が変化する。
これを検出することで、操作が行われたと判断するものである。
また、電圧検出部や温度検出部とそれにつながるマイコンや補正回路で発光素子の電流バランスを補正する機能である。
【発明の効果】
【０００６】  請求項１に記載の発明は、電磁界を使ったものであり、機械的劣化の影響を受けないばかりか、操作部を樹脂などの非磁性体の中に設けることが出来るので、防水や防塵に寄与したり配置する場所の自由度が増す。
請求項２に記載の発明は、電圧降下や発熱による色ずれ、輝度変化が発生することを払拭するものである。
(57)【要約】      （修正有）【課題】本をシリーズ化などの多くの部数を所持した場合の、管理するに当たり棚が必要となる、場所をとってしまう、持ち運ぶにあたり重量がある、といった不便を解消する。【解決手段】本をソフトウェア化することで軽量化になる。在庫にも負担なく、場所を気にせず持ち運びが可能となり、保管も負担がない。【選択図】図１
2015153411.tif 000002
【特許請求の範囲】
【請求項１】
本をソフトウェア化することにより、場所を選ばず読書ができる特徴。
【請求項２】
前記のソフトウェア化は、本の在庫を抱えない、収納の利便性、本の重量感の軽減、場所を選ばず読書ができる利便性を重視とするのが特徴。
【発明の詳細な説明】
【技術分野】
【０００１】この発明は、本の形状に関する。
【背景技術】
【０００２】従来の本の形状は、読む事に重点を置いている。
【先行技術文献】
【０００３】
【特許文献】
【特許文献】  特許公表  ２００２−５１２７０７
【非特許文献】
【発明の概要】
【発明が解決しようとする課題】
【０００４】  本をシリーズ化などの多くの部数を所持すると、管理時に棚が必要となる、場所をとってしまう、持ち運ぶにあたり重量がある、不便である。
そこで本をソフトウェア化することを課題をする。
【課題を解決するための手段】
【０００５】  以上の課題を解決するために、場所をとらず、持ち運びを便利にした、ソフトウェア化を特徴とする。
【発明の効果】
【０００６】  以上のように、本をソフトウェア化することにより、場所を選ばず読書ができる。
【図面の簡単な説明】
【０００７】
【図１】この発明の実施形態、本をソフトウェア化した場合の正面からの斜視図。
【図２】この発明の実施形態、ソフトウェア化した場合の上からの斜視図。
【図３】この発明の実施形態、ソフトウェア化した場合の右側の見た斜視図。
【図４】この発明の実施形態、ソフトウェア化した場合の左側の見た斜視図。
【図５】この発明の実施形態、ソフトウェア化した場合の下からの見た斜視図。本をソフトウェア化した場合のデーター等入力の出入口。
【発明を実施するための形態】
【０００８】    この発明の一実施形態を、図１に示す。ソフトウェア本体の１は本の表紙等に設ける。図５の、ソフトウェア本体の２は、本の内容をデーター化時、データー内容を設置するための構造とする。
【図１】
2015153411.tif 000003
【図２】
2015153411.tif 000004
【図３】
2015153411.tif 000005
【図４】
2015153411.tif 000006
【図５】
2015153411.tif 000007
(57)【要約】      （修正有）【課題】電力を消費するカメラ機能を用いずに、使用中でも化粧ができるスマートフォンやタブレット端末の提供。【解決手段】鏡面に切り替え可能なディスプレイを備えた携帯端末装置で、筐体底部に収納式のチークカラーコンパクトおよびリップ・ブラシ入れを備える。夜行バス等、暗い環境でも使用できるようスポットライト機能も併せて提供する。鏡機能アイコンにタッチすると、画面が鏡に切替わり、コンパクトを使用して化粧が可能となる。【選択図】図１
2015153414.tif 000002
【特許請求の範囲】
【発明の詳細な説明】
【発明の詳細な説明】
スマートフォン式携帯電話やタブレット式モバイル電話にメイク用の各種アプリ  装置を取り付け美容機能を強化一体化した携帯電話及びタブレット  各種のメイク機能  鏡面になる半透過式ディスプレイ美顔専用アプリ、スポットライト機能、引き出し式のチークカラーコンパクト機能などを取り付けたコスメティック・スマートフォン。
【技術分野】鏡機能がある携帯電話ディスプレイにスポットライト機能やメイク機能アプリを加え、携帯電話底部には引き出し式のリップ  ＆  チークカラーコンパクを取り付けた。化粧が出来るスマートフォン式携帯電話及びタブレット。
【背景技術】折りたたみ式の携帯電話やタブレットに鏡そのものを取り付けたり、コンパクトそのものを取り付けることは出来ても、操作が面倒で重たかった。
カメラ機能で顔を映しても  鏡のように正直には映らないし  バッテリーがもったなかった、電源をオフにしたときはディスプレイが暗く顔がはっきり映らなかった。
【発明が解決しようとする課題と手段】
スマートフォンやタブレットに鏡機能アイコンを加え、デイスプレイを鏡面に変えれるるようにする、スポットライト機能も取り付ける、そして底部に収納式のチークカラーコンパクトを取り付ける。簡単な化粧ができて従来のスマートフォンやタブレットとしても使える。ディスプレイそのものを鏡として使用出来るので、カメラ機能を使うよりも電力消費が抑えられる、夜間でもスポットライト機能が使えるので顔が明るく映せる、アプリを使えばメイクの簡単な手順も真似れる。
【発明の効果】
急いでいるときや、ちょつとした時にスマートフォンを使いながら（タブレットを使いながら）化粧ができ、薄暗い夜行バスの中なんかでもカメラ機能を使った時のように消費電力が気にならず静かに長時間化粧ができる。
【図１】
2015153414.tif 000003
【手続補正書】
【提出日】平成26年4月15日(2014.4.15)
【手続補正１】
【補正対象書類名】明細書
【補正対象項目名】全文
【補正方法】変更
【補正の内容】
【発明の詳細な説明】
【技術分野】
【０００１】この発明は、スマートフォン式携帯電話の底部に、化粧用具入れを設けた、化粧用具が付いた、スマートフォン式携帯電話に関するものである。
【背景技術】
【０００２】従来、スマートフォン式携帯電話と化粧用具入れは別々になっていた。
【発名の概要】
【０００３】従来、スマートフォン式携帯電話と化粧用具入れは別々に持ち歩いた。
職場に於いて、制服のポケットに携帯電話と化粧用具を一緒に入れると、かさばってしょうがなかった、スマートフォン式携帯電話と化粧用具入れを一緒にすればポケットのかさばりが改善される。また、急いでいる時やちょっとした時に、お化粧直しが簡単に出来るので便利である。
【図面の簡単な説明】
【０００４】
【図１】コスメティック・スマートフォン式携帯電話を表す斜視図である。
【図２】コスメティック・スマートフォン式携帯電話を表す断面図である。
【符号の説明】
【０００５】▲１▼スマートフォン式携帯電話
▲２▼化粧用具入れ
▲３▼矢印にスライドできる
【手続補正２】
【補正対象書類名】特許請求の範囲
【補正対象項目名】全文
【補正方法】変更
【補正の内容】
【特許請求の範囲】
【請求項１】
スマートフォン式携帯電話▲１▼の底部に、引き出し式の化粧用具入れ▲２▼を設けた、コスメティック・スマートフォン式携帯電話。
【手続補正４】
【補正対象書類名】図面
【補正対象項目名】全図
【補正方法】変更
【補正の内容】
【図１】
2015153414.tif 000004
【図２】
2015153414.tif 000005
(57)【要約】【課題】コネクタからの抜線を防止する伸縮性ケーブルを提供する。【解決手段】螺旋状の芯線と、芯線の両端に接続されたコネクタ部と、芯線を覆う伸縮性かつ絶縁性を有する被覆とを有する。【選択図】図１
2015153677.tif 000002
【特許請求の範囲】
【請求項１】
螺旋状の芯線と、
該芯線の両端に接続されたコネクタ部と、
該芯線を覆う伸縮性かつ絶縁性を有する被覆と、
を有することを特徴とする伸縮性ケーブル。
【請求項２】
前記芯線は、両端の前記コネクタ部近辺で螺旋状を成し、それ以外の部分で直線状を成すことを特徴とする請求項１に記載の伸縮性ケーブル。
【発明の詳細な説明】
【技術分野】
【０００１】
本発明は伸縮性ケーブルに関する。
【背景技術】
【０００２】
ＬＡＮケーブル、光ファイバケーブル、電源ケーブル等のケーブルは、システム稼動の信頼性に影響を及ぼす重要な部品である。設置状況や作業上の原因又は地震等により、ケーブルに過大な荷重がかかることがある。その荷重は剛直なケーブルのコネクタとの嵌合部に直接負荷を及ぼすため、意図せずケーブルがコネクタから抜けてしまうリスクを抱えている。
【０００３】
従来、剛直なケーブルを伸縮させる技術として、特許文献１に開示された、形状をカールコードにしたケーブルや、特許文献２に開示された伸縮性光ファイバ複合ケーブルが知られている。
【先行技術文献】
【特許文献】
【０００４】
【特許文献１】特開昭６１−４００９号公報
【特許文献２】特開２００９−０５４３１２号公報
【発明の概要】
【発明が解決しようとする課題】
【０００５】
従来の特許文献１に開示されるようなカールコードは、それ同士が密接している場合に絡み合って干渉し、複数の機器が密集するシステムにおいて伸縮性能を発揮することは困難である。
また、特許文献２に開示されるような伸縮性光ファイバ複合ケーブルの技術は、ロボット分野に特化する構造であり、さらにケーブル全般での実用には触れられていない。
【０００６】
そこで、本発明の目的は抜線を防止する伸縮性ケーブルを提供するものである。
【課題を解決するための手段】
【０００７】
本発明は、螺旋状の芯線と、芯線の両端に接続されたコネクタ部と、芯線を覆う伸縮性かつ絶縁性を有する被覆とを有するケーブルとして実現できる。
【発明の効果】
【０００８】
本発明によれば、過大な荷重がケーブルにかかっても、コネクタからケーブルが抜けることを防止することができる。
【図面の簡単な説明】
【０００９】
【図１】本発明の実施例におけるケーブル構造を示す断面図である。
【図２】図１に示すケーブルのA−A線断面図である。
【発明を実施するための形態】
【００１０】
本発明の実施例のケーブル構造を図１及び図２に基づいて説明する。
伸縮性ケーブル１はＬＡＮケーブルや電源ケーブルのような銅線ケーブルであり、撚り線の銅導体である芯線１０とその周囲に配された伸縮性の絶縁素材からなる被覆２０とを有するケーブル本体２と、ケーブル本体２の両端に位置し、伸縮性ケーブル１の接続先のコネクタと嵌合するコネクタ部３とから構成される。芯線１０は螺旋状をなして伸縮性を有している。被覆２０の材質はポリエチレン、ポリウレタン等の弾性を有する絶縁性の樹脂である。
【００１１】
本ケーブル構造により、作業上の原因、又は地震等によりケーブルに過大な負荷がかかった場合でも、芯線１０の螺旋構造及び被覆２０の伸縮特性により、両者が伸縮することによって負荷を軽減するため、コネクタからコネクタ部３の接続が外れることによるケーブル抜けを防止することができる。
【００１２】
なお、ケーブルが長い場合には、芯線１０の螺旋部のコストを低減するため、芯線１０の両端のコネクタ部３近辺（例えば数１０cm）を螺旋状となし、それ以外の部分は直線状となしても良い。また、螺旋状の部分の長さは適宜調整して製造しても良い。
更に、伸縮性ケーブル１は、芯線１０を光ファイバとする光ファイバケーブルとして構成されても良い。
【符号の説明】
【００１３】
1  伸縮性ケーブル、２  ケーブル本体、３  コネクタ部、１０  芯線、２０  被覆
【図１】
2015153677.tif 000003
【図２】
2015153677.tif 000004
(57)【要約】【課題】  個人ですぐ縫製できるようにした生地の作成。【解決手段】  初めから、すぐに裁断できるように生地に裁断線を引いて置く。または、裁断をして置く。【選択図】図２
2015212446.tif 000002
【特許請求の範囲】
【請求項１】
１．生地（３）に、２．目で確認できる、３．線（１）を引き、４．その線（１）に沿って、５．ハサミで切ることできた断片（２）の生地を、６．縫製することで、７．一着の服ができるようにされた、８．生地。
【請求項２】
１．生地（３）に、２．目で確認できる、３．線（１）を引き、４．その線（１）に沿って、５．ハサミで切ることできた断片（２）の生地を、６．縫製することで、７．一着の服ができるようにされた、８．生地の販売。
【請求項３】
１．生地（３）に、２．目で確認できる、３．線（１）を引き、４．その線（１）に沿って、５．切った断片（２）の生地を、６．縫製することで、７．一着の服ができるようにされた、８．断片（２）生地。
【請求項４】
１．生地（３）に、２．目で確認できる、３．線（１）を引き、４．その線（１）に沿って、５．切った断片（２）の生地を、６．縫製することで、７．一着の服ができるようにされた、８．断片（２）の生地の販売。
【発明の詳細な説明】
【技術分野】
【０００１】  本発明は、ビジネスに係ることであり、各自でミシンを掛けて、自宅などで簡単に服が出来る様にと、発明された物である。
【背景技術】
【０００２】  従来は、大部分を低賃金の諸外国で縫製された服を輸入していたり、個人の縫製屋さんが個人で販売していた。【０００３】  また、電子工作で組み立てて家で作って下さいなどのよく似た形態もある。【０００４】  また、組み立て式のＤＩＹの家具などのよく似た形態もある。【０００５】  国内需要が高度成長期後、頭打ちの状態にある国内の服製作関連技術製品の個人化への方向転換思想と言う背景技術もある。【０００６】  つまり、個人が使える技術製品は高い技術力をもつた物が多く出回るようになっていると言う背景がある。
【発明の開示】
【発明が解決しようとする課題】
【０００７】  本発明が解決しようとする課題は、各自で高級感のある一流服を製作出来る様にすることである。
【課題を解決するための手段】
【０００８】  課題を解決する手段として、裁断する生地に初めから裁断ラインを引いて置く。【０００９】  また、裁断をして置く。
【発明の効果】
【００１０】  裁断が簡単で、また、裁断されているので、簡単に昔の１９８０年代のＤＣブランドが作れる。【００１１】  ジャケットやコートなどは、作りがいがある。
【発明を実施するための最良の形態】
【００１２】  最良の生地と最良の縫い糸を選択して、簡単に服が出来る様にされた、裁断線の引かれた、または、裁断された生地をセットとして販売する。
【実施例】
【００１３】  図１、は、裁断線の引かれた生地である。【００１４】  図２、は、裁断された生地である。
【産業上の利用可能性】
【００１５】  産業上は、意匠などのデザイン料の活性化など、多大な効果が期待される。【００１６】  生地の種類のデーター化や糸のテーター化の促進。【００１７】  私用のミシンの高度化の促進。【００１８】  低賃金の諸外国に移された縫製関係の技術の国内での復活。【００１９】  以上の相乗効果を伴って、販売は成立するので、産業上の期待は大きいが、経費は多大かもしれないので、権利の所存に注意を払って、在る物を感覚で使用することから成り立たせる方が良い。
【図面の簡単な説明】
【００２０】
【図１】  裁断線の引かれた生地。
【００２１】
【図２】  裁断された生地。
【符号の説明】
【００２２】  １．裁断線
２．裁断された生地
３．生地
【図１】
2015212446.tif 000003
【図２】
2015212446.tif 000004
(57)【要約】【課題】タクシー料金、又は商店レジでの支払時に、サインを、もらったり、つり銭、又は伝票、領収書を素早く、お客様に渡したい。【解決手段】バインダーに、クリップ押え、マジックテープと、硬貨置場を設けた。ボールペンにも、マジックテープを付けて、紐で継いだ。【選択図】図１
2015212066.tif 000002
【特許請求の範囲】
【請求項１】
バインダーの前面に、クリップ押え、マジックテープを設け、ボールペンにも、マジックテープを設け、紐で、継いだ。
【請求項２】
バインダーの裏面に、クリップ押えを２個を設けた。
その他に、５００円、１００円、５０円、１０円、５円、１円の全てを、のせる、硬貨置場を作った。
【発明の詳細な説明】
【技術分野】
【０００１】本発明は、伝票にサインしたり、伝票とつり銭をセットして、相手に間違いなく渡せる。
【背景技術】
【０００２】
【特許文献１】
【特許文献２】
【非特許文献１】
【非特許文献２】
【発明の開示】
【発明が解決しようとする課題】
【０００３】伝票にサインしたり、つり銭を間違いなく、素早く渡したい。
【課題を解決するための手段】
【０００４】バインダーの前面、裏面に、クリップ押え、マジックテープを設け、コイン置場も設け、ボールペンにもマジックテープを設けた。
【発明の効果】
【０００５】伝票にサインが楽に出来る。つり銭が一目でわかり、間違いがなくなる。
【発明を実施するための最良の形態】
【０００６】バインダーの両面に、クリップ押えを付けて、伝票を固定し、サインをしたり、先方に、渡したり、楽に出来る。
マジックテープでボールペンをセットして置ける。
硬貨置場を設け、つり銭が一目で解り、間違いがない。
【実施例】
【０００７】タクシー料金支払時、伝票にサイン、つり銭、伝票の受取りが、間違いなく出来る。商店などの、レジでの支払も間違いが、なくなる。
【産業上の利用可能性】
【０００８】タクシー料金支払に、商店のレジでの支払に利用されると思います。【０００９】バインダーの前面に、クリップ押えを設け、マジックテープも設け、ボールペンにも、マジックテープを設けて、紐で継いだ。【００１０】バインダーの裏面に、クリップ押えを２個、設けた。
硬貨６種類の置場も設けた。
【図面の簡単な説明】
【００１１】
【図１】（ａ）は平面図。前面  （ｂ）は平面図。裏面  （ｃ）は立面図。１は、２００ｍ／ｍ位い。２は、１５０ｍ／ｍ位い。３は、５ｍ／ｍ位い。４は、１００ｍ／ｍ位い。５は、３０ｍ／ｍ位い。６は、２０ｍ／ｍ位い。７は、１０ｍ／ｍ位い。８は、５０ｍ／ｍ位い。９は、５００円硬貨置場。１０は、５０円硬貨置場。１１は、５円硬貨置場。１２は、１００円硬貨４枚分の置場。１３は、１０円硬貨４枚分の置場。１４は、１円硬貨４枚分の置場。置場の合計は９９９円分。１５は、前面。１６は、裏面。１７は、前面のマジックテープ。１８は、クリップ押え。１９は、ボールペンのマジックテープ。２０は、クリップ押え。２１は、クリップ押え。２２は、硬貨置場の溝。２３は、ボールペン。２４は、紐。
【図１】
2015212066.tif 000003